(57)【要約】【課題】  バリア全開時の退避スペースが少ない小型撮像装置においても、撮像装置の外形からはみ出すことなくカメラ筐体の外側を開閉動作するアウターレンズバリア機構を実現すること。【解決手段】  筐体の外部に、複数枚からなるレンズ保護バリアを有する撮像装置とし、第１のバリアの開閉動作に線形的に連動して動作する第２のバリアを備える構成とする。【選択図】  図１
2007133012.tif 000002
【特許請求の範囲】
【請求項１】
筐体の外部に、複数枚からなるレンズ保護バリアを有する撮像装置において、第１のバリアの開閉動作に線形的に連動して動作する第２のバリアを備えていることを特徴とする撮像装置。
【請求項２】
筐体の外部に、複数枚からなるレンズ保護バリアを有する撮像装置において、第１のバリアの開閉動作に連動している第１の連動部材と、第２のバリアの動作に連動している第２の連動部材と、第１の連動部材の動作を第２の連動部材へ伝達する伝達部材を有していることを特徴とする撮像装置。
【請求項３】
筐体の外部に、複数枚からなるレンズ保護バリアを有する撮像装置において、撮像装置に対する撮像装置と略平行な第１のバリアの直進運動を第１のバリアに回転可能に取り付けられた、撮像装置に対し略縦方向の軸を有する第１の回転部材の回転運動に変換する手段と、
第１の回転部材の回転運動を、撮像装置に対し略縦方向の軸を有する第２の回転部材の回転運動に伝達する動力伝達手段と、
第１のバリアに回転可能に取り付けられた第２の回転部材の回転運動を第１のバリアに対する第１のバリアと略平行な第２のバリアの直進運動に変換する手段とを備えていることを特徴とする撮像装置。
【請求項４】
上記、第１のバリアの直進運動を、第１のバリアに回転可能に取り付けられた、撮像装置に対し略縦方向の軸を有する第１の回転部材の回転運動に変換する手段は、第１のバリアに設けられたラックギアと第１のバリアに回転可能に取り付けられたピニオンギアの駆動であり、
第１の回転部材の回転運動を、撮像装置に対し略縦方向の軸を有する第２の回転部材の回転運動に伝達する動力伝達手段は、第１のバリアに回転可能に取り付けられた第１のプーリと第２のプーリと、これらに掛けられたタイミングベルトによる駆動であり、
第１のバリアに回転可能に取り付けられた第２の回転部材の回転運動を第１のバリアに対する第１のバリアと略平行な第２のバリアの直進運動に変換する手段は、第１のバリアに回転可能に取り付けられたピニオンギアと第２のバリアに設けられたラックギアの駆動であることを特徴とする請求項３に記載の撮像装置。
【請求項５】
上記第１のバリアと第２のバリアがバリア退避位置の時、第１のバリアによって第２のバリアを覆い隠す構成であることを特徴とする請求項１〜請求項４のいずれかに記載の撮像装置。
【発明の詳細な説明】
【技術分野】
【０００１】
本発明はレンズ保護バリアを有するカメラ等の撮像装置に関するものである。
【背景技術】
【０００２】
カメラ筐体の前面にレンズ鏡筒の前面を覆う位置（全閉位置）と、レンズ鏡筒の前面から退避する位置（全開位置）との間でカメラ左右方向にスライド可能なレンズ保護バリア(以下アウターレンズバリア)を有するカメラが知られている。この種のカメラでは、カメラ非使用時にはアウターレンズバリアを閉じておき、使用時のみアウターレンズバリアを開くようにすることで、非使用時におけるレンズ及びレンズ鏡筒の保護を図っている。しかしこの構成をとった場合には、アウターレンズバリアの全閉位置から全開位置までスライドさせるバリア退避スペースの必要性から、アウターレンズバリアのスライド側(レンズ鏡筒の右側ないしは左側)に少なくともレンズ鏡筒の最外径の横幅が必要になり、それ未満の場合には、アウターレンズバリアが全開位置にきた時にバリアがカメラ筐体からはみ出してしまい、カメラ使用時のグリップ性や見た目の品位を大きく損なってしまう問題があり、カメラの小型化の大きな妨げとなってしまう問題があった。
【０００３】
それを鑑みて、特開平９−１９７４８０号公報ではアウターレンズバリアをメインとサブの２枚構成とし、バリアが全開位置にあるときはメインバリアとサブバリアをそれぞれを折り重なるように収納することで、バリア退避スペースを減らすことが可能となっている。また、特開２００１−２９０１９４号公報では同じくメインバリアとサブバリアの２枚構成であるが、レンズ鏡筒の左右それぞれにバリアを退避させる構成となっており、例えばカメラ本体の略中央にレンズ鏡筒を配した場合などにアウターレンズバリアの退避スペースを有効に利用することが可能となっている。
【特許文献１】特開平９−１９７４８０号公報
【特許文献２】特開２００１−２９０１９４号公報
【発明の開示】
【発明が解決しようとする課題】
【０００４】
デジタルカメラは近年、技術の進歩により小型化が進んでいるが、アウターレンズバリアにおいては物理的限界から従来の一枚バリアの構成では、現状以上の小型化が不可能な状態が起こりつつあり、アウターレンズバリアの小型化技術の確立は急務な状況になっている。この状況を鑑みて、上記２つの公知例（特開平９−１９７４８０号公報、および特開２００１−２９０１９４号公報）が提案されている。しかし、これら２つの公知例では、カメラの横幅は少ししか減らすことができない問題がある。特開平９−１９７４８０号公報ではメインバリアとサブバリアの連動に駆動レバーを用いているため、駆動レバーの回動可能な角度分しかサブバリアのスライド量をもたせることができず、特にカメラの高さ方向を小型化した場合にはサブバリアのスライド量はさらに小さくなってしまう問題があった。また特開２００１−２９０１９４号公報ではメインバリアとサブバリアを左右それぞれに退避させるため、レンズ鏡筒がある一端側に配してある場合には構成できず、サブバリア退避分のスペースがメインバリアのスライド方向とは反対側に余分に必要となってしまう問題があった。また、これら２つの公知例ではサブバリアの開閉はトーションバネによって行われるため、バネの付勢方向が変わる点を境にサブバリアが全開位置ないしは全閉位置に移動してしまうため、メインバリアの動作に線形的には連動させることができず、バリア開閉の品位を落してしまう問題があった。
【０００５】
そこで本発明ではアウターレンズバリア退避スペースを少なくし、複数枚であることの効果を最大限に活用することと、アウターレンズバリア開閉の品位を向上させることを目的とした。
【課題を解決するための手段】
【０００６】
本発明のレンズのバリア機構は、筐体の外部に、複数枚からなるレンズ保護バリアを有する撮像装置において、第１のバリアの開閉動作に線形的に連動して動作する第２のバリアを備えていることを特徴とする。
【発明の効果】
【０００７】
本発明のレンズのバリア機構によれば、アウターレンズバリアの開閉動作の品位をバリアが一枚で構成されている場合と同様に向上させることが可能となる。
【０００８】
さらに、アウターレンズバリアが撮像装置の筐体の外部を開閉移動する際に、第１のバリアの移動量以上に第２のバリアの移動量を多く取ることが可能となることから、アウターレンズバリア全開時の第１のバリアと第２のバリアの重なりの量を大きく取ることが可能となり、アウターレンズバリアの退避スペースが少なくて済むようになるため、小さな面積で大きな鏡筒に対応できるのでバリアによる無意味な大型化を防ぐこと事が可能となる。また、複数の伝達部材や連動部材の運動の比を変更することで、複数のバリアの移動量の比を適宜変更させることが可能となり、カメラ等の撮像装置のサイズに合った複数のバリアの大きさが設定可能となる。
【発明を実施するための最良の形態】
【０００９】
以下、本発明の実施例について説明する。
【実施例１】
【００１０】
図３に、本発明の実施例１のバリア機構を有したカメラの正面斜視図を示す。同図において、１０１はカメラ本体であり、この内部には撮影を可能とするための各種の部材、例えば、光学像を光電変換して画像データを生成する撮像素子（ＣＣＤやＣＭＯＳイメージセンサ等）、ローパスフィルタおよびカメラ全体の動作を制御する制御回路が配置されている。
【００１１】
１０２は撮影レンズを有するレンズ鏡筒であり、光軸方向に繰り出したり繰り込んだりすることによって撮影光学系の焦点距離を変更することができる。１０３はレリーズボタンであり、半押しによって撮影準備動作（焦点調節動作および測光動作）が開始され、全押しによって撮影動作（撮像素子で読み出された画像データの記録媒体への記録）が開始される。
【００１２】
１０４はファインダ光学系の窓部であり、撮影者はファインダ光学系を介して被写体像を観察することができる。１０５は、被写体輝度を測定（測光）する測光センサの窓部である。測光センサでの測光結果は、カメラ本体１０１内の制御回路に送られ、制御回路で露出値（シャッタ速度や絞り値）が演算される。１０６は、被写体に照明光を照射するストロボユニットの窓部である。
【００１３】
次に本発明のバリア機構の構造について図１、及び図２に示す図を参照して説明する。図１は本発明のバリア機構の展開斜視図であり、図２は本発明のバリア機構の正面透視図である。本発明のバリア機構は、メインバリア２０１とサブバリア３０１の２枚のバリアを有しており、メインバリア２０１はメインアウターバリア２０１ａとメインインナーバリア２０１ｂが接着により一体化されて構成し、サブバリアも同様にサブアウターバリア３０１ａとサブインナーバリア３０１ｂが一体化されて構成している。上記メインバリア２０１には第１のシャフト２０３と第２のシャフト２０４をカメラ本体に対して略縦軸方向に回転自在に固定させている軸固定板２０２をスクリューによって固定し、上記第１のシャフト２０３にはシャフトの略両端部に第１のピニオンギア２０３ａが、略中央部に第１のプーリ２０３ｂが、第２のシャフト２０４にはシャフトの略両端部に第２のピニオンギア２０４ａが、略中央部に第２のプーリ２０４ｂが固定されている。また上記サブインナーバリア３０１ｂの非外観側に第２のラックギア３０２が設けられている。この他にタイミングベルト４０１があり、第１のプーリ２０３ｂと第２のプーリ２０４ｂに係合している。
【００１４】
次にメインバリアの開閉機構の詳細について説明する。カメラ本体１０１に第１のラックギア１１１が位置決めダボにより位置決めされて接着固定されており、上記第１のシャフトに固定された第１のピニオンギア２０３ａと係合されている。
【００１５】
第１のピニオンギア２０３ａを有する第１のシャフト２０３を回転可能に取り付けている軸固定板２０２には係合溝Ｂ２０２ａを備えており、この係合溝２０２ａがカメラ本体１０１側に切られた係合溝Ａ１１２と係合することにより、前後方向への移動を規制し、左右方向には移動可能に構成している。上記第１のピニオンギア２０３ａは軸固定板２０２を介し、メインバリア２０１に回転可能に固定されていることから、メインバリアはカメラ本体に対して左右方向にスライド可能に構成される。この左右方向のスライド量の規制は全開方向についてはメインバリア２０１に固定された軸固定板２０２に設けられた係合溝２０２ａのカメラ本体正面からみて左端がカメラ本体１０１の前面に設けられた係合溝１１２の切り欠きの左端に突き当たることによってなされ、全閉方向についてはぞれぞれの反対側である。
【００１６】
次にサブバリアの開閉機構の詳細について説明する。軸固定板２０２に回転自在に取り付けられた第１のシャフト２０３と第２のシャフト２０４はそれぞれに固定された第１のプーリ２０３ｂと第２のプーリ２０４ｂの両方に係合するように掛けられたタイミングベルト４０１により、一方の動力を滑らかにもう一方に伝えることを可能にしている。サブバリア３０１はサブインナーバリア３０１ｂに設けられた第２のラックギア３０２が、メインバリア２０１に軸固定板２０２を介して回転自在に固定されている第２のシャフト２０４の略両端部に固定された第２のピニオンギア２０４ａと係合しているため、軸固定板２０２を介して本体を正面から見て左右方向にスライド可能となっている。また、上記第２のシャフトには略中央部に第２のピニオンギア２０４ｂが固定され、動力を第１のシャフト２０３側へ伝達するため、メインバリア２０１の移動がサブバリアに伝達される。また、サブバリア３０１のカメラ前後方向の規制はメインバリア２０１と軸固定板２０２に挟まれて構成することによって成される。
【００１７】
上記メインバリア２０１対カメラ本体１０１、メインバリア２０１対サブバリア３０１の連動により、サブバリア３０１はカメラ本体１０１に対して左右方向にスライド可能な構成となっている。ここで第一のシャフト２０３に固定された第１のプーリ２０３ｂと第２のシャフトに固定された第２のプーリ２０４ｂは同じピッチで同じ径のものを用いているため、第１のシャフト２０３と第２のシャフト２０４の回転数は同じであり、また本体１０１側第１のラックギア１１１とサブバリア３０１側のラックギア３０２のピッチ、及び第１のシャフト２０３に固定された第１のピニオンギア２０３ａと第２のシャフト２０４に固定された第２のピニオンギア２０４ａのピッチと径がそれぞれ等しいのでメインバリア２０１の移動量１に対して、サブバリア３０１は１(カメラ本体１０１に対するメインバリア２０１の移動量)プラス１(メインバリア２０１に対するサブバリア３０１の移動量)、すなわちカメラ本体１０１に対するそれぞれのバリアの移動量はメインバリア２０１が１、サブバリア３０１は２となる。
【００１８】
最後に実際の開閉動作について説明する。まずバリアが完全に閉じた状態から開く場合について説明する。メインバリア２０１上に接着固定されているスクリューの頭隠しを兼ねたグリップ２０５をユーザーがカメラ本体１０１を正面から見て左方向にスライドを始めると第１のシャフト２０３に固定された第１のピニオンギア２０３ａがカメラ本体１０１に設けられた第１のラックギア１１１上を回転移動する。また、第１のシャフト２０３上に設けられた第１のプーリ２０３ｂを介してタイミングベルト４０１が回転し、第２のプーリ２０４ｂを介して第２のシャフト２０４も回転する。第２のラックギア３０２が第２のシャフト２０４に固定された第２のピニオンギア２０４ａと係合しているため、サブバリア３０１がメインバリア２０１に連動して動作する。バリアが完全に開いた状態から閉じる場合については、同じくメインバリア２０１上に接着固定されているグリップ２０５をユーザーがカメラ本体１０１を正面から見て右方向にスライドすることによって上記手順の逆回転し、メインバリアとサブバリアが連動する。
【００１９】
本実施例では第１のシャフト２０３と第２のシャフト２０４の回転比を１：１に設定しているためメインバリア２０１とサブバリア３０１の移動量はカメラ本体１０１に対して１：２になっているが、第１のシャフト２０３と第２のシャフト２０４の回転比を変更することにより、メインバリアとサブバリアの移動量の比を適宜変更させることが可能となり、増速、減速させることで、メインバリア２０１とサブバリア３０１のバリア全開時の重なり量の変更が可能となりカメラのサイズに合ったメインバリア、サブバリアの大きさが設定可能となる。
【００２０】
本実施例では第１のシャフト２０３の回転運動と第２のシャフト２０４の回転運動との動力の伝達にタイミングベルト４０１と第１のプーリ２０３ｂと第２のプーリ２０４ｂとが用いられているが、タイミングベルト４０１の歯の形状は限定せず、さらにチェーンなどの格子形状の部材とスプロケット等との駆動や、ウォームギアとウォームホイールでの駆動や、ギヤを連動させても構わず、さらに材質も限定しない。また、カメラ本体１０１の直線運動を第１のシャフト２０３の回転運動に変換する手段、及び第２のシャフト２０４の回転運動を第２のバリア３０１の直線運動に変換する手段としてラックギアとピニオンギアを用いているが、直線運動を回転運動に変換できればよく、機構、材質は限定しない。さらにアウターレンズバリアを２枚構成としているが、３枚以上のバリアにより構成しても問題はない。
【図面の簡単な説明】
【００２１】
【図１】本発明のバリア機構の展開斜視図
【図２】本発明のバリア機構の正面透視図
【図３】本発明のバリア機構を有するカメラの正面斜視図
【符号の説明】
【００２２】
１０１  デジタルカメラ本体
１０２  レンズ鏡筒
１０３  レリーズボタン
１０４  ファインダ
１０５  測光センサ
１０６  ストロボユニット
１１１  第１のラックギア
１１２  係合溝Ｂ
２０１  第１のバリア
２０１ａ  第１のアウターバリア
２０１ｂ  第１のインナーバリア
２０２  軸固定板
２０３  第１のシャフト
２０３ａ  第１のピニオンギア
２０３ｂ  第１のプーリ
２０４  第２のシャフト
２０４ａ  第２のピニオンギア
２０４ｂ  第２のプーリ
２０５  グリップ
３０１  第２のバリア
３０１ａ  第２のアウターバリア
３０１ｂ  第２のインナーバリア
３０２  第２のラックギア
【図１】
2007133012.tif 000003
【図２】
2007133012.tif 000004
【図３】
2007133012.tif 000005